(57)【要約】【課題】  一時的に大電流が流れてリチウムイオン電池１の容量が低下し、第一の放電制御スイッチ１０がＯＦＦされて放電が停止された後でも、最低限の機能を果たせるだけの電流を流せる構造を実現する。そして、各種電気機器の使い勝手を向上させる。【解決手段】  第一の制御回路１１が上記第一の放電制御スイッチ１０をＯＦＦした後でも、第二の放電制御スイッチ１４をＯＮしておく。第二の制御回路１５はこの第二の放電制御スイッチ１４を、上記リチウムイオン電池１の容量が更に低下した場合にＯＦＦする。【選択図】  図１
2006158028.tif 000002
【特許請求の範囲】
【請求項１】
二次電池と、この二次電池への充電及びこの二次電池からの放電を行なわせる為の第一、第二の端子と、このうちの第一の端子とこの二次電池の一方の極とを導通させる第一の電路と、この第一の電路の途中に互いに直列に、この第一の端子の側から順番に接続された充電制御スイッチ及び第一の放電制御スイッチと、上記第二の端子と上記二次電池の他方の極とを導通させる第二の電路と、これら第一、第二の電路同士の間に設けられて上記二次電池の電圧及び電流を検出し、この電圧が第一の所定電圧値以上である場合に上記充電制御スイッチをＯＦＦし、この電圧がこの第一の所定電圧値よりも低い第二の所定電圧値以下である場合、及び、上記電流が第一の所定電流値を越えた場合に上記第一の放電制御スイッチをＯＦＦし、次に充電操作が行なわれるまでこの第一の放電制御スイッチをＯＦＦした状態のままにする第一の制御回路と、上記第一の電路の途中で上記充電制御スイッチと上記第一の放電制御スイッチとの間部分に一端を接続すると共に、他端を上記二次電池の一方の極に導通させた第三の電路と、この第三の電路の途中に互いに直列に配置された抵抗及び第二の放電制御スイッチと、この第三の電路と上記第二の電路との間に設けられて上記二次電池の電圧及び電流を検出し、この電圧が上記第二の所定電圧値よりも低い第三の所定電圧値以下である場合、及び、上記電流が上記第一の所定電流値の１／２以下である第二の所定電流値を越えている場合に上記第二の放電制御スイッチをＯＦＦする第二の制御回路とを備えた二次電池パック。
【請求項２】
二次電池がリチウムイオン電池である、請求項１に記載した二次電池パック。
【発明の詳細な説明】
【技術分野】
【０００１】
この発明に係る二次電池パックは、ノート型パソコン、無線通信器、釣具である電動リール等、携帯型の各種電気機器の電源として利用する。特に本発明は、一時的に大電流が流れる等により二次電池の電圧が低下し、放電が停止された後でも、最低限の機能を果たせるだけの電流を流せる構造を実現して、上記各種電気機器の使い勝手を向上させるものである。
【背景技術】
【０００２】
リチウムイオン電池等の二次電池は、繰り返し使用できてコスト的に有利である等の理由により、ノート型パソコン、無線通信器、電動リール等、携帯型の各種電気機器の電源として利用されている。この様なリチウムイオン電池等の二次電池の充電方法に就いては、特許文献１〜９に記載される等により、従来から各種の方法が提案され、その一部は実際に使用されている。又、１乃至複数本のリチウムイオン電池を、保護回路と共にホルダ内に組み込んで電池パックとし、この電池パックを上記電気機器の電源部分に組み込める様にする事も、従来から広く行なわれている。この様な電池パックの構造に就いては、例えば非特許文献１等に記載されている。
【０００３】
図２は、この非特許文献１に記載された、電池パックの回路図である。二次電池であるリチウムイオン電池１の−極と負端子２とを第一の電路３により導通させると共に、同じく＋極と正端子４とを、第二の電路５により導通させている。そして、上記第一の電路３の途中に、放電制御スイッチである放電ＦＥＴ６と、充電制御スイッチである充電ＦＥＴ７とを、互いに直列に設けている。そして、これら両ＦＥＴ６、７のＯＮ、ＯＦＦ（断接）をＩＣ８により制御する様にしている。
【０００４】
即ち、このＩＣ８は、充電時には、これら両ＦＥＴ６、７をＯＮした（閉じた）状態として上記両端子２、４から上記リチウムイオン電池１に電流が流れる様にする。そして、このリチウムイオン電池１の電圧が、第一の所定電圧値である高位側閾値を越えた場合には上記充電ＦＥＴ７をＯＦＦし（開き）、それ以上の充電を停止する。
【０００５】
又、上記ＩＣ８は、使用に伴って上記リチウムイオン電池１の電圧が、第二の所定値である低位側閾値を下回った場合に上記放電ＦＥＴ６をＯＦＦし（開き）、それ以上の放電を停止する。更に、上記ＩＣ８は、上記両端子２、４同士が短絡される等により、これら両端子２、４間に過大な電流が流れた場合にも、上記放電ＦＥＴ６をＯＦＦし、上記リチウムイオン電池１内で急激な反応が生じる事を防止する。この放電ＦＥＴ６は、一度ＯＦＦされた後は、次に充電操作が行なわれるまで、ＯＦＦの状態を保持されるものが多い。
【０００６】
上述の様な電池パックをノート型パソコン、無線通信器、電動リール等、携帯型の各種電気機器の電源として使用する事を考慮した場合、使用勝手向上の面から、緊急避難的に電力供給を行なえる回路を組み込む事が望まれる。この点に就いて、電気機器の種類毎に説明する。
【０００７】
先ず、ＣＤ−ＲＯＭを組み込んだノート型パソコンの場合、ＣＤ−ＲＯＭを駆動する為に比較的大きな電流を要する。この為、電池パックの容量が少なくなっている状態でＣＤ−ＲＯＭを起動すると、この電池パックの電圧が急に低下し、過放電状態を防止すべく、上記放電ＦＥＴ６をＯＦＦする。この状態では、上記電池パックを充電しない限り、この電池パックからの電力供給が行なわれなくなる。この結果、上記ＣＤ−ＲＯＭの駆動が行なえないだけに留らず、それまで処理していたデータが、保存される事なく消滅してしまう。これに対して、上記ＣＤ−ＲＯＭの起動に伴って上記放電ＦＥＴ６がＯＦＦされた場合には、このＣＤ−ＲＯＭの駆動は行なえなくても、上記電池パックからデータを保存する為の処理が可能な程度の電力を供給できれば、上記ノート型パソコンの使い勝手が向上する。
【０００８】
又、無線通信器では、アンテナの近傍に鉄板等の電波を遮蔽する物体が存在する場合に、通信状態に応じて徐々に送信の為の電力を増大させる様な制御を行なっている。電池パックの容量が少ない状態でこの様な制御が行なわれると、やはり電圧が急に低下し、過放電状態を防止すべく、上記放電ＦＥＴ６がＯＦＦされる。そして、上記電池パックを充電しない限り、この電池パックからの電力供給が行なわれない状態となる。この結果、仮に、上記電波を遮蔽する物体を避けられる位置に移動しても、上記無線通信器による通信を行なえなくなる。これに対して、上記電波を遮蔽する物体の近傍では通信を行なえなくても、この物体を避けた状態で通信を行なえる程度の電力供給を行なえれば、最低限必要な緊急通信を行なえて便利である。
【０００９】
更に、電動リールの場合、例えば、釣り針が海底の異物に引っ掛かる、所謂「ねがかり」状態になると、電動モータの負荷が大きくなり、大電流が流れて、電池パックの容量（電力の残り量）が少ない状態の場合には、この電池パックの電圧が急に低下する。そして、過放電状態を防止すべく、上記放電ＦＥＴ６がＯＦＦされて、上記電池パックを充電しない限り、この電池パックからの電力供給が行なわれない状態となる。電動リールの場合、釣り糸がどれだけの長さ繰り出されたかを表す情報を保有しているが、上記電池パックからの電力供給が停止された状態では、この情報も保存される事なく消滅してしまう。この際、使用者（釣り人）がこの情報を、文字データ等で確認する時間的余裕は殆どない。これに対して、上記電動モータによるリールの回転駆動は行なえなくても、上記情報を保存できれば、釣り人が文字データ等でこれを確認し、電池パック交換後にその情報を入力できる。
【００１０】
以上に述べた様な、緊急避難的に電力供給を行なえる回路として、特許文献７に記載されたものを利用する事が考えられる。この特許文献７に記載された回路では、電気かみそりや電動歯ブラシの電動モータへの電力供給をリチウムイオン二次電池から行なう構造で、この二次電池の電圧が第１設定電圧以下になった場合に上記電動モータへの通電を停止する。更に、この電圧が、この第１設定電圧よりも低い第２設定電圧以下になった場合に、上記二次電池からの電力供給を総て停止し、サブ電池から二次電池に充電する。
【００１１】
上述の様な特許文献７に記載された回路は、過放電を有効に防止してリチウムイオン二次電池を保護するものであるが、回路を更に工夫すれば、二次電池の電圧が急低下した際に、緊急避難的に電力供給を行なって、最低限の機能を確保する為に利用できる可能性がある。但し、上記引用文献７に記載された発明の場合、上記電力モータへの通電停止の為の回路切り換えを、電動モータを含む電気機器自体に組み込むもので、電池パックの内部で行なうものではない。従って、上記引用文献７に記載された回路を、そのまま各種電気機器の電源として利用される電池パックに組み込み、上記緊急避難的な電力供給を行なう事はできない。要するに、上記特許文献７に記載された発明は、前記ノート型パソコン、無線通信器、電動リール等、携帯型の各種電気機器に、緊急避難的に電力を供給する事を意図していないし、その様な事はできない。
【００１２】
【特許文献１】特開平５−１１５１２９号公報
【特許文献２】特開平７−２３５３２号公報
【特許文献３】特開平７−３２６３８９号公報
【特許文献４】特開平１０−６９３２０号公報
【特許文献５】特開平１１−１１３１８４号公報
【特許文献６】特開２０００−３５４３３３号公報
【特許文献７】特開２００１−３３９８６７号公報
【特許文献８】特開２００２−２１８６６２号公報
【特許文献９】特開２００３−６１２５５号公報
【非特許文献１】カタログ、「電池関連ＩＣ／オペアンプＩＣ／データブック／’０２〜’０３」、ミツミ電機株式会社、２００２年、ｐ．２４−ｐ．３３
【発明の開示】
【発明が解決しようとする課題】
【００１３】
本発明は、上述の様な事情に鑑みて、一時的に大電流が流れて二次電池の容量が低下し、放電が停止された後でも、最低限の機能を果たせるだけの電流を流せる構造を実現して、各種電気機器の使い勝手を向上させるべく発明したものである。
【課題を解決するための手段】
【００１４】
本発明の二次電池パックは、二次電池と、第一、第二の端子と、第一の電路と、充電制御スイッチ及び第一の放電制御スイッチと、第二の電路と、第一の制御回路と、第三の電路と、抵抗及び第二の放電制御スイッチと、第二の制御回路とを備える。
このうちの第一、第二の端子は、上記二次電池への充電及びこの二次電池からの放電を行なわせる為のもので、二次電池パックの外面に露出する状態で設けられている。
又、上記第一の電路は、上記第一の端子と上記二次電池の一方の極とを導通させるものである。
又、上記充電制御スイッチ及び第一の放電制御スイッチは、上記第一の電路の途中に、互いに直列に、上記第一の端子の側から順番に接続されている。
又、上記第二の電路は、上記第二の端子と上記二次電池の他方の極とを導通させるものである。
又、上記第一の制御回路は、上記第一、第二の電路同士の間に設けられて、上記二次電池の電圧及び電流を検出する。そして、この電圧が第一の所定電圧値以上である場合に上記充電制御スイッチをＯＦＦする。又、この電圧が、この第一の所定電圧値よりも低い第二の所定電圧値以下である場合、及び、上記電流が第一の所定電流値を越えた場合に上記第一の放電制御スイッチをＯＦＦし、次に充電操作が行なわれるまでこの第一の放電制御スイッチをＯＦＦした状態のままにする。
又、上記第三の電路は、上記第一の電路の途中で上記充電制御スイッチと上記第一の放電制御スイッチとの間部分に一端を接続すると共に、他端を上記二次電池の一方の極に導通させたものである。
又、上記抵抗及び第二の放電制御スイッチは、上記第三の電路の途中に、互いに直列に配置されている。
更に、上記第二の制御回路は、上記第三の電路と上記第二の電路との間に設けられて、上記二次電池の電圧及び電流を検出する。そして、この電圧が上記第二の所定電圧値よりも低い第三の所定電圧値以下である場合、及び、上記電流が上記第一の所定電流値の１／２以下（例えば１／１０程度）である第二の所定電流値を越えている場合に、上記第二の放電制御スイッチをＯＦＦする（次に充電操作が行なわれるまでＯＦＦしたままにはしない）。
【発明の効果】
【００１５】
上述の様に構成する本発明の二次電池パックは、以下の様に機能して、一時的に大電流が流れる等により二次電池の電圧が低下し、放電が停止された後でも、最低限の機能を果たせるだけの電流を流す。
第一、第三の電路は互いに並列に配置されているが、第一の電路には抵抗が設けられていないのに対して、第三の電路には抵抗が、直列に接続されている。従って、総てのスイッチ（第一の放電制御スイッチ、充電制御スイッチ、第二の放電制御スイッチ）が閉じられている通常の使用状態では、二次電池の一方の極と第一の端子との間を流れる電流は、その大部分が上記第一の電路を流れる（第三の電路には殆ど電流が流れない）。
【００１６】
この状態で、上記二次電池の電圧が第二の所定電圧値以下に低下した場合には、第一の制御回路が、第一の放電制御スイッチをＯＦＦする。この結果、上記第一の電路を通じての電力供給は行なわれなくなる。この場合でも、上記二次電池の電圧が第三の所定電圧を上回っていれば、第二の放電制御スイッチはＯＮのままとなり、上記二次電池の一方の極と第一の端子との間で電流が流れる。この為、最低限の機能を果たす事が可能になる。
【００１７】
又、上記第一の放電制御スイッチがＯＮされている状態で、第一、第二両端子同士の間に過大な電流が流れようとした（第一の所定電流値を越えた）場合も、上記二次電池の劣化防止の為に、上記二次電池の電圧が第二の所定電圧値以下に低下した場合と同様に、上記第一の放電制御スイッチがＯＦＦされる。上記第一の放電制御スイッチが、電圧低下によりＯＦＦされた場合でも、或は過大電流によりＯＦＦされた場合でも、上記第一の放電制御スイッチがＯＦＦされた瞬間に、未だ上記第一、第二の端子同士の間に大きな負荷が存在していると、これら第一、第二の端子同士の間に流れようとしていた大電流（第二の所定電流値を越える電流）が、上記第三の電路を流れようとする。この為、第二の制御回路が第二の放電制御スイッチをＯＦＦし、それ以上上記二次電池の電力が消費され、この二次電池の電圧が低下する事を防止する
【００１８】
この状態から、上記第一、第二の端子同士の間に存在する大きな負荷が除かれると、上記第二の制御回路が上記第二の放電制御スイッチをＯＮする。この結果、上記第一、第二の端子同士の間に電流を流せる。この状態でこれら両端子同士の間に流せる電流は、比較的低い第二の所定電流値未満であり、電圧に関しても、第三の所定電圧を下回らない値に限られる。即ち、第二の放電制御スイッチを設けた第三の電路を通じて電力を供給する状態は、緊急避難的な電力供給であり、残り少ない電力を有効に利用する事を考慮して、上記第三の電路を通じて供給可能な電力（電流）を小さく抑えている。
【００１９】
尚、上述の様に、第一、第二両端子同士の間に過大乃至は大きな電流が流れて上記第一の放電制御スイッチをＯＦＦした瞬間には、この過大乃至は大きな電流が、上記第三の電路を通じて流れようとする為、上記第二の制御回路が上記第二の放電制御スイッチをＯＦＦする。但し、この様に第二の放電制御スイッチがＯＦＦされた場合でも、使用者が上記第一の制御回路の動作に基づいて上記第一の放電制御スイッチがＯＦＦされた事に対応して、電気機器の負荷を低減する為の配慮を行なえば、上記第二の放電制御スイッチが再びＯＮされる為、上記電気機器が最低限の機能を果たす様にできる。尚、上述の説明から明らかな通り、本発明の二次電池パックを使用した場合でも、過大電流に基づいて上記第一の放電制御スイッチがＯＦＦされた瞬間、及び、大きな電流による電圧低下に基づいてこの第一の放電制スイッチがＯＦＦされた瞬間には、短時間とは言え、二次電池パックから電気機器の本体側への電力供給が停止する。従って、上記電気機器に関して、それまでのデータを保存、利用する事を考慮するのであれば、この電気機器の本体側のメモリに通じる部分に、コンデンサ等、短時間だけでも電力を供給できる部品を組み込む必要がある。  本発明の二次電池パックは、上述の様な作用により、ノート型パソコン、無線通信器、釣具である電動リール等、携帯型の各種電気機器の使い勝手を向上させられる。
【発明を実施するための最良の形態】
【００２０】
本発明を実施する場合に好ましくは、請求項２に記載した様に、二次電池をリチウムイオン電池とする。
リチウムイオン電池は、他の二次電池に比べて単位重量当りの容量を大きくできる等の優れた特性を有する反面、放電電流が大きくなると著しく劣化する。この様なリチウムイオン電池を利用して本発明を実施すれば、各種電気機器の小型・軽量化及びその取り扱い性向上と、二次電池の耐久性確保とを図れる。
【実施例１】
【００２１】
図１は、本発明の実施例を示している。本実施例の二次電池パックは、二次電池であるリチウムイオン電池１と、第一、第二の端子である負端子２及び正端子４と、第一の電路３と、充電ＦＥＴ等の充電制御スイッチ９及び放電ＦＥＴ等の第一の放電制御スイッチ１０と、第二の電路５と、第一の制御回路１１と、第三の電路１２と、抵抗（電流センス抵抗）１３及び第二の放電制御スイッチ１４と、第二の制御回路１５とを備える。
このうちの負端子２及び正端子４は、上記リチウムイオン電池１への充電及びこのリチウムイオン電池１からの放電を行なわせる為のもので、二次電池パックを構成するケースの（図示せず）外面に露出する状態で設けられている。
【００２２】
又、上記第一の電路３は、上記負端子２と上記リチウムイオン電池１の一方の極である−極とを導通させるものであり、この第一の電路３の途中に、上記充電制御スイッチ９及び第一の放電制御スイッチ１０を、互いに直列に、上記負端子２の側から順番に接続している。一方、上記第二の電路５は、上記正端子４と上記リチウムイオン電池１の他方の極である＋極とを導通させるものである。
【００２３】
又、上記第一の制御回路１１は、上記第一、第二の電路３、５同士の間に設けられて、上記リチウムイオン電池１の電圧及び電流を検出する。そして、上記第一の制御回路１１は、この電圧が第一の所定電圧値（例えば４．２Ｖ）以上に達した場合に、上記充電制御スイッチ９をＯＦＦする。又、上記第一の制御回路１１は、上記電圧が、上記第一の所定電圧値よりも低い第二の所定電圧値（例えば２．３Ｖ）以下である場合、及び、上記電流が第一の所定電流値（例えば１０Ａ）を越えた場合に、上記第一の放電制御スイッチ１０をＯＦＦする。そして、この第一の放電制御スイッチ１０を、次に充電操作が行なわれるまでＯＦＦしたままにする。
【００２４】
又、前記第三の電路１２は、上記第一の電路３の途中で上記充電制御スイッチ９と上記第一の放電制御スイッチ１０との間部分に一端（図１の右端）を接続すると共に、他端（図１の左端）を、上記リチウムイオン電池１の−極に導通させている。そして、この様な第三の電路１２の途中に、前記抵抗１３と、前記第二の放電制御スイッチ１４とを、互いに直列に接続している。
【００２５】
更に、前記第二の制御回路１５は、上記第三の電路１２と上記第二の電路５との間に設けられて、上記リチウムイオン電池１の電圧及び電流を検出する。そして、この電圧が上記第二の所定電圧値（例えば２．３Ｖ）よりも低い第三の所定電圧値（例えば２．０Ｖ或いは１．５Ｖ）以下である場合に、上記第二の放電制御スイッチ１４をＯＦＦする。又、上記第二の制御回路１５は、上記電流が、上記第一の所定電流値（例えば１０Ａ）の１／２以下である、第二の所定電流値（例えば１Ａ或いは０．１Ａ）を越えている場合にも、上記第二の放電制御スイッチ１４をＯＦＦする。但し、上記第二の制御回路１５によるこの第二の放電制御スイッチ１４のＯＮ、ＯＦＦ制御は、上記リチウムイオン電池１の電圧が上記第三の所定電圧値以下であるか否か、同じく電流が上記第二の所定電流値を越えているか否かによってのみ行なう。言い換えれば、一度上記第二の放電制御スイッチ１４をＯＦＦしても、次に充電操作が行なわれるまでＯＦＦしたままにはしない。従って、一度上記第二の放電制御スイッチ１４をＯＦＦした後に、上記リチウムイオン電池１の電圧が上記第三の所定電圧値を越え、同じく電流が上記第二の所定電流値以下になった場合には、上記第二の放電制御スイッチ１４をＯＮする。尚、上記抵抗１３の値は、当業者にとって明らかな通り、この抵抗１３に上記第二の所定電流値の電流が流れた場合に、上記第二の制御回路１５の過電流検出電圧を発生する様に決定する事は勿論である。
【００２６】
上述の様に構成する本実施例の二次電池パックは、以下の様に機能して、一時的に大電流が流れる等により上記リチウムイオン電池１の電圧が低下し、放電が停止された後でも、最低限の機能を果たせるだけの電流を流せる。
前記第一の電路３と上記第三の電路１２とは、互いに並列に配置されているが、第一の電路３には抵抗が設けられていないのに対して、第三の電路１２には抵抗１３が、直列に接続されている。従って、前記充電制御スイッチ９と、前記第一の放電制御スイッチ１０と、上記第二の放電制御スイッチ１４との、総ての制御スイッチが閉じられている通常の使用状態では、上記リチウムイオン電池１の−極と負端子２との間を流れる電流は、その大部分が上記第一の電路３を流れ、上記第三の電路１２には殆ど電流が流れない。
【００２７】
この状態での二次電池パックとしての機能は、前述の非特許文献１に記載される等により従来から知られている、リチウムイオン電池を組み込んだ電池パックと同様である。即ち、上記負端子２と前記正端子４との間で大電流（第一の所定電流値、例えば１０Ａを越える電流）が流れた場合、又は、上記リチウムイオン電池１の電圧が前記第二の所定電圧値（例えば２．３Ｖ）以下に低下した場合には、前記第一の制御回路１１が、前記第一の放電制御スイッチ１０をＯＦＦする。この結果、上記第一の電路３を通じての電力供給を停止して、上記リチウムイオン電池１の劣化を防止する。
【００２８】
本実施例の場合には、上記第一の制御回路１１が上記第一の放電制御スイッチ１０をＯＦＦした後、上記第三の電路１２を通じて、上記リチウムイオン電池１の−極と負端子２との間を電流が流れる。上記第一の放電制御スイッチ１０がＯＦＦされた瞬間に、未だ上記負端子２と上記正端子４との間に大きな負荷が存在していると、これら両端子２、４同士の間に流れる大電流（第二の所定電流値、例えば１Ａ或は０、１Ａを越える電流）が上記第三の電路１２を流れる。この為、前記第二の制御回路１５が上記第二の放電制御スイッチ１４をＯＦＦし、それ以上上記リチウムイオン電池１の電力が消費され、このリチウムイオン電池１の電圧が低下する事を防止する。上記リチウムイオン電池１の電圧が、軽負荷の長時間使用により徐々に低下した場合には、上記第一の放電制御スイッチ１０がＯＦＦされた瞬間にも、上記第二の放電制御スイッチ１４がＯＦＦされる事はない。
【００２９】
大きな負荷が接続されている為、上記第二の放電制御スイッチ１４がＯＦＦされても、この状態から、上記負端子２と上記正端子４との間に存在する大きな負荷が除かれると、上記第二の制御回路１５が上記第二の放電制御スイッチ１４をＯＮする。この結果、上記負端子２と上記正端子４との間に電流を流せる。この状態でこれら両端子同士の間に流せる電流は、比較的低い第二の所定電流値（例えば１Ａ或いは０．１Ａ）以下であり、電圧に関しても、第三の所定電圧（例えば２．０Ｖ或いは１．５Ｖ）を超える値に限られる。従って、大きな負荷を接続した状態で電圧が低下した場合には、本実施例の二次電池パックを組み込んだ電気機器を、上記第一の放電制御スイッチ１０がＯＦＦされる直前の状態のまま、使用を継続する事はできない。
【００３０】
但し、この状態では、使用者が上記第一の制御回路１１の動作に基づいて上記第一の放電制御スイッチ１０がＯＦＦされた事に対応して、電気機器の負荷を低減する為の配慮を行なえば、この電気機器が最低限の機能を果たす様にできる。例えば、この電気機器がＣＤ−ＲＯＭを組み込んだノート型パソコンの場合、このＣＤ−ＲＯＭの駆動を停止すれば、上記二次電池パックからこのノート型パソコンのメモリ回路に、データを保存する為の処理が可能な程度の電力を供給できる。尚、この場合には、上記ノート型パソコンのメモリ回路の側に、上記第一の放電制御スイッチ１０がＯＦＦされた後、上記第二の放電制御スイッチ１４がＯＮされるまでの間、データをバックアップできる程度の電力を保持するコンデンサ等のバックアップ電源を組み込む必要がある。
【００３１】
又、上記電気機器が無線通信器の場合には、電波を遮蔽する物体を避けられる位置に移動して通信を行なえば、最低限必要な緊急通信を行なえる可能性がある。更に、上記電気機器が電動リールである場合には、リールを回転駆動する為の電動モータの起動スイッチをＯＦＦすれば、他の部分で必要とする程度の電力を供給できる。そして、この他の部分で保持しているデータを短時間保存できる程度の電力を供給可能なコンデンサ等のバックアップ電源を、この他の部分に組み込んでおけば、釣り糸がどれだけの長さ繰り出されたかを表す情報等を保存できて、釣り人が文字データ等でこれを確認し、電池パック交換後にその情報を入力できる。
【００３２】
何れの場合でも、上記第二の放電制御スイッチ１４を設けた、前記第三の電路１２を通じて電力を供給する場合には、緊急避難的な電力供給であり、残り少ない電力を有効に利用する事を考慮する必要がある。本実施例の場合には、前記第二の制御回路１５が、上記第三の電路１２を通じて流れる電流を小さな値に規制するので、非常時に於ける電力の有効利用を図れる。即ち、使用者が不用意に大電流を流し、必要な緊急処置に使用する為の電力を消費する事を防止できる。この様に本実施例の二次電池パックを使用すれば、ノート型パソコン、無線通信器、釣具である電動リール等、携帯型の各種電気機器の使い勝手を向上させられる。
【図面の簡単な説明】
【００３３】
【図１】本発明の実施例を示す回路図。
【図２】従来構造の１例を示す回路図。
【符号の説明】
【００３４】
１    リチウムイオン電池
２    負端子
３    第一の電路
４    正端子
５    第二の電路
６    放電ＦＥＴ
７    充電ＦＥＴ
８    ＩＣ
９    充電制御スイッチ
１０    第一の放電制御スイッチ
１１    第一の制御回路
１２    第三の電路
１３    抵抗
１４    第二の放電制御スイッチ
１５    第二の制御回路
【図１】
2006158028.tif 000003
【図２】
2006158028.tif 000004